(57)【要約】  フロントガラス（乗り物用窓ガラス）１０は、光源から照射された励起光が入射されることによって可視光を放射する乗り物用窓ガラスであって、励起光の照射により乗り物用窓ガラスの端部１０Ｅを発光させる。  本発明によれば、自動車などの乗り物において、室内空間を狭くしたり、視界を妨げたりすることなく、運転手によって警告表示を容易に確認できる乗り物用窓ガラスを提供することができる。
2019073983.tif 000002
【特許請求の範囲】
【請求項１】
光源から照射された励起光が入射されることによって可視光を放射する乗り物用窓ガラスであって、前記励起光の照射により前記乗り物用窓ガラスの端部を発光させる乗り物用窓ガラス。
【請求項２】
前記乗り物用窓ガラスが、透明板を含む請求項１に記載の乗り物用窓ガラス。
【請求項３】
前記乗り物用窓ガラスが、少なくとも１枚の透明板と樹脂膜が積層されてなる多層構造を有し、
前記樹脂膜が、樹脂と、励起光の入射によって可視光を放射する蛍光材料とを含む請求項２に記載の乗り物用窓ガラス。
【請求項４】
前記乗り物用窓ガラスが、自動車のフロントガラス及びサイドガラスのいずれかである請求項１〜３のいずれか１項に記載の乗り物用窓ガラス。
【請求項５】
人及び物の少なくともいずれかが乗り物に近づいたと検知されると、前記端部を発光させる請求項１〜４のいずれか１項に記載の乗り物用窓ガラス。
【請求項６】
前記検知される内容に応じて、発光のさせ方を変更させる、請求項５に記載の乗り物用窓ガラス。
【請求項７】
接近物との距離に応じて、発光の強度、発光面積、及び発光位置の少なくとも１つを変更させる、請求項６に記載の乗り物用窓ガラス。
【請求項８】
光源から照射された励起光を入射することによって可視光を放射する乗り物用窓ガラスを利用した警告表示方法であって、前記励起光の照射により前記乗り物用窓ガラスの端部を発光させ、乗員に注意喚起する警告表示方法。
【請求項９】
前記乗り物用窓ガラスが、透明板を含む請求項８に記載の警告表示方法。
【請求項１０】
前記乗り物用窓ガラスが、少なくとも１枚の透明板と樹脂膜が積層されてなる多層構造を有し、
前記樹脂膜が、樹脂と、励起光の入射によって可視光を放射する蛍光材料とを含む請求項８又は９に記載の警告表示方法。
【請求項１１】
前記乗り物用窓ガラスが、自動車のフロントガラス及びサイドガラスのいずれかである請求項８〜１０のいずれか１項に記載の警告表示方法。
【請求項１２】
人及び物の少なくともいずれかが乗り物に近づいたと検知されると、前記端部を発光させる請求項８〜１１のいずれか１項に記載の警告表示方法。
【請求項１３】
前記検知される内容に応じて、発光のさせ方を変更させる、請求項１２に記載の警告表示方法。
【請求項１４】
接近物との距離に応じて、発光の強度、発光面積、及び発光位置の少なくとも１つを変更させる、請求項１３に記載の警告表示方法。
【発明の詳細な説明】
【技術分野】
【０００１】
本発明は、自動車などの乗り物用窓ガラス、及び乗り物用窓ガラスを利用した警告表示方法に関する。
【背景技術】
【０００２】
従来、自動車の衝突回避のために、歩行者の飛び出し、障害物の接近などを、ステレオカメラや、その他のセンサを用いて検出して、その検出結果に基づいて、運転手に様々な警告を発することが行われている（例えば、特許文献１参照）。警告としては、インジケーター、サイドミラーなどに警告を表示するのが一般的である。また、自動車では、ヘッドアップディプレイによって、インジケーターの代わりに、速度や警告表示などを、虚像としてフロントガラスに映し出す技術も実用化されている（例えば、特許文献２参照）。
【先行技術文献】
【特許文献】
【０００３】
【特許文献１】特公平８−２３５８７号公報
【特許文献２】特開２０００−２５４８８号公報
【発明の概要】
【発明が解決しようとする課題】
【０００４】
しかしながら、従来のインジケーターやサイドミラーへの警告表示は、運転手によって確認しづらく、警告を見落とすことがある。また、ヘッドアップディプレイによってフロントガラスに警告を映し出す場合にも、運転手の視界を妨げることなく、警告表示を行う必要があるため、従来のインジケーターと同様に、警告表示が確認しづらいという問題がある。さらに、ヘッドアップディプレイは、装置サイズが大きく、自動車の室内空間を狭くする問題もある。【０００５】
本発明は、以上の事情に鑑みてなされたものであり、本発明の課題は、自動車などの乗り物において、室内空間を狭くしたり、視界を妨げたりすることなく、運転手によって警告表示を容易に確認できる乗り物用窓ガラスを提供することである。
【課題を解決するための手段】
【０００６】
本発明者らは、鋭意検討の結果、乗り物用窓ガラスの端部を、励起光の入射により可視光を発光できるようにすることで上記課題を解決できることを見出し、以下の本発明を完成させた。
すなわち、本発明は、以下の［１］〜［１４］を提供する。
［１］光源から照射された励起光が入射されることによって可視光を放射する乗り物用窓ガラスであって、前記励起光の照射により前記乗り物用窓ガラスの端部を発光させる乗り物用窓ガラス。
［２］前記乗り物用窓ガラスが、透明板を含む上記［１］に記載の乗り物用窓ガラス。
［３］前記乗り物用窓ガラスが、少なくとも１枚の透明板と樹脂膜が積層されてなる多層構造を有し、前記樹脂膜が、樹脂と、励起光の入射によって可視光を放射する蛍光材料とを含む上記［２］に記載の乗り物用窓ガラス。
［４］前記乗り物用窓ガラスが、自動車のフロントガラス及びサイドガラスのいずれかである上記［１］〜［３］のいずれか１項に記載の乗り物用窓ガラス。
［５］人及び物の少なくともいずれかが乗り物に近づいたと検知されると、前記端部を発光させる上記［１］〜［４］のいずれか１項に記載の乗り物用窓ガラス。
［６］前記検知される内容に応じて、発光のさせ方を変更させる、上記［５］に記載の乗り物用窓ガラス。
［７］接近物との距離に応じて、発光の強度、発光面積、及び発光位置の少なくとも１つを変更させる、上記［６］に記載の乗り物用窓ガラス。
［８］光源から照射された励起光を入射することによって可視光を放射する乗り物用窓ガラスを利用した警告表示方法であって、前記励起光の照射により前記乗り物用窓ガラスの端部を発光させ、乗員に注意喚起する警告表示方法。
［９］前記乗り物用窓ガラスが、透明板を含む上記［８］に記載の警告表示方法。
［１０］前記乗り物用窓ガラスが、少なくとも１枚の透明板と樹脂膜が積層されてなる多層構造を有し、
前記樹脂膜が、樹脂と、励起光の入射によって可視光を放射する蛍光材料とを含む上記［８］又は［９］に記載の警告表示方法。
［１１］前記乗り物用窓ガラスが、自動車のフロントガラス及びサイドガラスのいずれかである上記［８］〜［１０］のいずれか１項に記載の警告表示方法。
［１２］人及び物の少なくともいずれかが乗り物に近づいたと検知されると、前記端部を発光させる上記［８］〜［１１］のいずれか１項に記載の警告表示方法。
［１３］前記検知される内容に応じて、発光のさせ方を変更させる、上記［１２］に記載の警告表示方法。
［１４］接近物との距離に応じて、発光の強度、発光面積、及び発光位置の少なくとも１つを変更させる、上記［１３］に記載の警告表示方法。
【発明の効果】
【０００７】
本発明では、自動車などの乗り物において、室内空間を狭くしたり、視界を妨げたりすることなく、運転手によって警告表示を容易に確認できる乗り物用窓ガラスを提供する。
【図面の簡単な説明】
【０００８】
【図１】本発明の第１の実施形態に係る乗り物用窓ガラスを備えた自動車の室内空間を示す。
【図２】第１の実施形態において、フロントガラスの周囲に設けられる光源の配置位置を示す模式図である。
【図３】第１の実施形態におけるフロントガラスの詳細を示す斜視図である。
【図４】第１の実施形態における発光システムを示すブロック図である。
【図５】本発明の第２の実施形態に係るフロントガラスの詳細を示す斜視図である。
【図６】本発明の第３の実施形態に係る乗り物用窓ガラスを備えた自動車の室内空間を示す。
【図７】本発明の第４の実施形態に係る乗り物用窓ガラスを備えた自動車の室内空間を示す。
【図８】本発明の第５の実施形態における発光システムの全体図を示す模式図である。
【発明を実施するための形態】
【０００９】
以下、図面を参照しつつ、本発明の乗り物用窓ガラス、及び乗り物用窓ガラスを用いた警告表示方法の実施形態について説明する。
図１は、本発明の第１の実施形態に係る乗り物用窓ガラスを備えた自動車の室内空間を示す。第１の実施形態に係る乗り物用窓ガラスは、自動車のフロントガラス１０である。フロントガラス１０は、図１に示すように、両側のピラー２１、２２、ボンネット（図示せず）、及びルーフ２３に設けられた支持部材により四方が支持されている。フロントガラス１０は、下記で詳述するように、蛍光材料などを含有することで、励起光の入射によって可視光を放射することができる。
本実施形態では、図１に示すように、励起光の入射により、フロントガラス１０の端部１０Ｅを発光させるものである。端部１０Ｅを発光させることで、後述するように車外の状況に応じて、自車の運転手などの乗員に注意喚起する警告を発することになる。
【００１０】
図２に示すように、フロントガラス１０には、その周囲に光源１１が設けられる。光源１１は、励起光を照射するものであり、レーザー光源、ＬＥＤ光源、キセノンランプなどが使用される。光源１１から照射される励起光は、フロントガラス１０に入射されることでフロントガラス１０が可視光を発光できるものであればよい。
光源１１が照射する光の最大発光波長は、特に限定されないが、４２０ｎｍ以下が好ましく、４１０ｎｍ以下がより好ましく、４０８ｎｍ以下がさらに好ましい。また、３００ｎｍ以上が好ましく、３５０ｎｍ以上がより好ましく、３８０ｎｍ以上がさらに好ましい。
光源１１が照射する光の最大発光波長を上記下限値以上及び上限値以下とすることで、フロントガラス１０が、光源１１からの励起光により効率よく可視光を発光することが可能である。
【００１１】
フロントガラス１０の周囲に設けられた光源１１は、フロントガラス１０の外周面１０Ｘ側からフロントガラス１０に励起光を入射する。ここで、光源１１は複数設けられており、それぞれ、例えば、ボンネット内部、及びピラー２１、２２内部などに設けられる。複数の光源１１は、フロントガラス１０の発光する端部１０Ｅの外側の外周面１０Ｘ側から励起光を入射させるように配置される。具体的には、図２に示すように、複数の光源１１は、フロントガラス１０の右下部分及び左下部分の外周面１０Ｘ側から励起光を入射させるように配置される。
【００１２】
図３は、本実施形態におけるフロントガラスをより詳細に示す模式的な斜視図である。図３に示すように、フロントガラス１０は、例えば、２枚の透明板１０Ａ、１０Ｂと、これらの間に配置された中間膜１０Ｃを備え、中間膜１０Ｃにより透明板１０Ａ，１０Ｂが接着された合わせガラスである。フロントガラス１０において、中間膜１０Ｃは、蛍光材料を含有する樹脂膜（発光層）からなるものでもよいし、２以上の樹脂膜を備え、少なくとも１つの樹脂膜が蛍光材料を含有する樹脂膜（発光層）であってもよい。ただし、フロントガラス１０は、このような構成に限定されず、下記で詳述するように、少なくとも１つの層が発光する発光層であればいかなる構成でもよい。
【００１３】
光源１１は、図３に示すように、その出射端１１Ａがフロントガラス１０の外周面１０Ｘに対向するように設けられるとよい。また、光源１１の出射端１１Ａは、フロントガラス１０における発光効率を高めるために、フロントガラス１０の発光層（図３では、中間膜１０Ｃ）に対向し、又は接触するように配置されることが好ましい。
さらに、光源１１の光軸は、通常、フロントガラス１０の面方向に対して平行であるが、面方向に対して適宜傾斜させてもよい。光軸を傾けることで、光源１１からの励起光は、内部に進入しにくくなるので端部１０Ｅのみを発光させやすくなる。
【００１４】
また、２枚の透明板１０Ａ，１０Ｂの間に、発光層を有する中間膜１０Ｃが設けられる場合には、複数の光源１１は、例えばＬＥＤチップからなり、外周面１０Ｘ、又は外周面１０Ｘ近傍において、透明板１０Ａ，１０Ｂの間に配置されてもよい。この場合、光源１１は、例えば、透明板１０Ａ，１０Ｂに貼り付けられてもよいし、樹脂膜１１Ｃの内部に埋め込まれてもよい。また、光源１１の出射端１１Ａには、拡散レンズなどが設けられ、光源１１からの励起光は、拡散されたうえでフロントガラス１０に入射されてもよい。
【００１５】
光源１１から照射される励起光は、外周面１０Ｘ側から入射されることで、光量を減衰させながらフロントガラス１０の内部に進入する。したがって、乗り物用ガラス１２の中央まで進入しない程度に光量を調整することで、図１に示すように、フロントガラス１０の端部１０Ｅだけに警告を発光表示させることが可能になる。
【００１６】
ここで、フロントガラス（乗り物用ガラス）の端部とは、フロントガラス（乗り物用窓ガラス）の縁部から、ガラス寸法に対して３０％以下の長さとなる領域を意味する。３０％より大きくなると、発光が運転手の視界を妨げるおそれがある。また、運転手の視界をより妨げないようにするために、上記長さは、１５％以下が好ましく、１０％以下がより好ましい。また、上記長さは、フロントガラス１０が発光していることを運転手に認識させるために、１％以上が好ましく、３％以上がより好ましい。なお、縁部とは、フロントガラス（乗り物用窓ガラス）の車内（乗り物内部）側のガラス面の露出している部分の最外部を意味する。また、ガラス寸法は、車内側で露出している乗り物用窓ガラスのガラス面において、水平方向における最大長さと、鉛直方向における最大長さの平均をいう。なお、後述するサイドガラスのように、乗り物用窓ガラスが開閉可能であるときには、ガラス寸法とは、車内側における窓ガラスに閉じられる開口の大きさと同じであり、また、縁部とはその開口の縁部を意味する。
【００１７】
また、フロントガラス１０（乗り物用ガラス）の発光する部分とは、乗り物用ガラス１２の輝度を発光面から垂直に３５ｃｍの距離で色彩輝度計（コニカミノルタ社製、「ＣＳ−１５０））により測定したとき、輝度が１００ｃｄ／ｍ2以上となる部分を意味する。したがって、本明細書においては、励起光の照射により、わずかに発光するような部位は発光する部分とは扱わない。
【００１８】
本実施形態では、人又は物（以下、「接近物」）が自動車に近づいたと検知されると、乗り物用窓ガラス（フロントガラス１０）の端部１０Ｅを発光させることで警告表示するものである。以下、図４を用いて、その構成についてさらに詳細に説明する。なお、ここでいう物とは、人以外のいかなるものも含まれ、例えば動物等も含まれる概念である。
図４は、本実施形態において自動車に設けられる発光システムを説明する。本実施形態において、発光システム３０は、上記したフロントガラス１０、光源１１に加えて、制御手段１５及び検知手段１６を備える。制御手段１５は、発光システム３０の全体を制御するものであり、自動車に設けられるＣＰＵなどにより構成されるが、特に限定されない。
【００１９】
検知手段１６は、自動車の車外の状況を把握するための手段であり、接近物が近づいてきたときに、その接近物との距離、方向などを検知する。
検知手段１６は、具体的には、自動車に設けられた人感センサ、ステレオカメラ、対物センサなどである。人感センサは、自動車に人が近づいたことを検知するセンサである。対物センサは、自動車に移動体が近づいたことを検知するセンサである。さらに、ステレオカメラは、車外を撮影して画像解析により、人、物体などが自動車に近づいたことを検知する。
【００２０】
検知手段１６によって、接近物が自動車に近づいたことが検知されると、その検知情報が制御手段１５に送られる。検知情報としては、接近物の方向、接近物と自車の距離などの情報が含まれる。制御手段１５では、検知情報に基づき光源１１を制御する。具体的には、接近物の距離が規定値以内と検知されると、光源１１をオンにして励起光をフロントガラス１０に入射してフロントガラス１０の端部１０Ｅを発光させる。フロントガラス１０の端部１０Ｅの発光は、運転手によって警告表示として認識される。
【００２１】
ここで、フロントガラス１０の発光させる位置は、接近物の方向などに応じて変更すればよい。具体的には、接近物が自車の右側から近づいている場合には、図１に示すように、フロントガラス１０の右側の端部１０Ｅ、より具体的には右下の端部１０Ｅを発光させればよい。一方で、接近物が自車の左側から近づいている場合には、フロントガラス１０の左側の端部１０Ｅ、より具体的には左下の端部１０Ｅを発光させればよい。このように、本実施形態では、接近物と同じ方向の端部１０Ｅを発光させることで、運転手に瞬時に接近物の方向を認識させることができ、接近物との衝突を回避しやすくなる。
【００２２】
また、本実施形態では、接近物が自動車に近づいたと検知されると、その検知される距離、方向等の内容に応じて、発光のさせ方を変更させることができる。例えば、接近物との距離に応じて、発光の強度、発光面積、及び発光位置の少なくとも一つを変更させてもよい。具体的には、接近物との距離が近くなると、光源１１から出射される励起光の強度を高くしたり、励起光を放射する光源１１の数を増やしたりして、フロントガラス１０の端部１０Ｅの発光強度及び発光面積の少なくとも一方を大きくすればよい。ここで、発光面積は、接近物の距離が近づくにつれて、例えば、発光する部分を中央側に広げていくとよい。また、発光面積を同じにしつつ、接近物との距離が近づくほど発光する部分を中央側に移動させていってもよい。発光する部分が、中央側に広がり、また、中央側に移動することで、発光する部分が運転手の視野に入りやすく、運転手に視覚的に危険が高いことを認識させることが可能になる。
【００２３】
さらには、例えば、接近物の距離が遠い場合には、複数の箇所の発光強度を同じにする一方で、接近物の距離が近い場合には中央に近い位置の発光強度を相対的に高く、中央から離れる位置の発光強度を相対的に低くしてもよい。このような態様によれば、接近物が近い場合、発光がグラデーションを有することになり、運転手は視覚的に危険が高いことを認識しやすくなる。
【００２４】
以上のように、本実施形態では、励起光の照射により、フロントガラスの端部を発光させることで、運転手の視界を妨げることなく、運転手によって容易に確認できる警告を発光表示させることが可能である。また、発光が、窓ガラスを使用して行われるので、自動車内部の室内空間を殆ど狭くすることなく警告表示を行うことが可能になる。さらには、接近物の距離、方向に応じて、発光強度、発光面積、発光位置などを適宜変更することで、警告内容などを運転手に視覚的に認識させやすくなる。
【００２５】
図５は、本発明の第２の実施形態に係る乗り物用窓ガラスを示す概略斜視図である。以下、第２の実施形態に関して第１の実施形態との相違点のみを説明する。
【００２６】
第２の実施形態では、自動車にさらにライトガイド２４が設けられるものである。ライトガイ２４は、例えば、図５に示すように、フロントガラス１０の外周面１０Ｘに沿って延在するように配置される。ライトガイド２４は、その端部２４Ａに光源１１の出射端１１Ａが対向するように設けられ、光源１１から出射された励起光が端部２４Ａから入射される。なお、光源１１は、第１の実施形態と同様に、ボンネット内部、及びピラー２１、２２内部などに設けられる。
【００２７】
ライトガイド２４は、端部２４Ａから入射された励起光を、ライトガイド２４の側面２４Ｘから放射できるものであればよい。具体的には、側面発光型光ファイバを使用すればよい。側面発光型光ファイバは、コアとクラッドを有する光ファイバに光散乱体などを分散したものが挙げられる。ライドガイド２４の側面２４Ｘから放射した光は、フロントガラス１０の外周面１０Ｘからフロントガラス１０の内部に入射される。フロントガラス１０は、入射された励起光により可視光を発光する。
なお、ライトガイド２４の側面２４Ｘにおいて、フロントガラス１０に対向していない部分は、励起光を放射する必要がないので、励起光を吸収又は反射する皮膜が形成されていてもよい。具体的には、紫外線吸収剤を含有する皮膜などが形成されていてもよい。
【００２８】
ライトガイド２４は、フロントガラス１０への励起光の入射効率を高めるために、図５に示すように、側面２４Ｘがフロントガラス１０の発光層（図５では、中間膜１０Ｃ）に対向し又は接触させるとよい。さらに、２枚の透明板１０Ａ，１０Ｂの間に設けられた中間膜１０Ｃが発光層からなる樹脂膜を有する場合には、ライトガイド２４は、外周面１０Ｘ又は外周面１０Ｘ近傍において、２枚の透明板１０Ａ、１０Ｂの間に配置されてもよい。この場合、ライトガイド２４は、例えば、中間膜１０Ｃの内部に埋め込まれるように配置されるとよい。
【００２９】
なお、ライトガイド２４の配置位置は、フロントガラスの発光させる位置に応じて決めればよい。すなわち、図１に示すように、右下の端部１０Ｅ及び左下の端部１０Ｅを発光させる場合には、ライトガイド２４は、フロントガラス１０の右下及び左下それぞれの外周面１０Ｘに沿って配置させればよい。
また、ライトガイド２４は、少なくとも１本設けられればよいが、複数本設けられて、それぞれがフロントガラス１０の周方向における異なる位置の外周面１０Ｘに配置されることで、第１の実施形態と同様に、発光位置や発光面積を変更したり、発光位置ごとに発光強度を変更したりすることも可能になる。
【００３０】
以上の構成によれば、本実施形態でも、第１の実施形態と同様に、自動車内部の室内空間を殆ど狭くすることなく、フロントガラスの端部を発光させて警告表示を行うことが可能になる。また、第２の実施形態でも第１の実施形態と同様に、接近物が自動車に近づいたと検知されると、その検知される距離、方向等の内容に応じて、発光のさせ方を変更させることができる。例えば、接近物の距離、方向などに応じて発光強度、発光面積、及び発光位置の少なくとも一つを適宜変更することで、警告内容を運転手に視覚的に認識させやすくなる。
【００３１】
図６は、本発明の第３の実施形態を示す概略図である。上記第１及び第２の実施形態では、発光する乗り物用窓ガラスは、フロントガラス１０であったが、第３の実施形態では、フロントガラス１０及びフロントサイドガラス１２である。
すなわち、本実施形態では、上記したフロントガラス１０と同様に、フロントサイドガラス１２の周囲に光源１１又はライトガイド２４が設けられ、フロントサイドガラス１２の端部１２Ｅも発光可能なものとする。ここで、発光させるフロントサイドガラス１２の端部１２Ｅは、図６に示すように前方側の端部であってもよいが、下端部の端部であってもよいし、上端部であってもよい。また、これらの２箇所以上の組み合わせでもよい。
【００３２】
本実施形態では、フロントガラス１０に加えてフロントサイドガラス１２も発光させることで警告表示の発光パターンをよりバリエーションに富んだものとすることができる。例えば、接近物の距離が相対的に遠いときにはフロントサイドガラス１２の端部１２Ｅを発光させ、距離が相対的に近いときにはフロントガラス１０の端部１０Ｅ、又はフロントガラス１０及びフロントサイドガラス１２の両方の端部１０Ｅ、１２Ｅを発光させればよい。
より具体的には、例えば接近物が右側から近づいた場合、距離が遠い間は、右側のフロントサイドガラス１２の端部１２Ｅのみを発光させる一方で、接近物の距離が近づいた場合には、フロントガラス１０の右側の端部１０Ｅ、又はフロントガラス１０の右側の端部１０Ｅ及び右側のフロントサイドガラス１２の端部１２Ｅの両方を発光させるとよい。接近物が左側から近づいた場合も同様に、フロンガラス１０の左側の端部１０Ｅ、左側のフロントサイドガラス１２の端部１２Ｅなどを発光させるとよい。
【００３３】
また、別の態様として、例えば、接近物が後方又は側方に存在する場合には、フロントサイドガラス１２の端部１２Ｅを発光させる一方で、接近物が前方に存在する場合には、フロントガラス１０の端部１０Ｅを発光させてもよい。この場合も、接近物が右側に存在する場合には、フロントガラス１０の右側の端部１０Ｅや、右側のフロントサイドガラス１２の端部１２Ｅを発光させればよい。接近物が左側に存在する場合も同様に、フロンガラス１０の左側の端部１０Ｅ、左側のフロントサイドガラス１２の端部１２Ｅなどを発光させるとよい。
さらには、第１の実施形態と同様に、接近物が自動車に近づいたと検知されると、その検知される距離、方向等の内容に応じて、発光のさせ方を変更させることができる。例えば、接近物の距離に応じてフロントガラス１０、及びフロントサイドガラス１２の発光の強度、発光面積、及び発光位置の少なくとも一つを適宜変更してもよい。
【００３４】
なお、本実施形態でも、フロントガラス１０と同様に、フロントサイドガラス１２の周囲に光源及びライトガイドのいずれかを配置して、例えば、フロントサイドガラス１２の外周面側から励起光を入射させるとよい。
【００３５】
図７は、本発明の第４の実施形態を示す概略図である。第４の実施形態では、フロントガラス１０及びフロントサイドガラス１２に加えて、デルタウィンドウガラス１３も発光可能とするものである。なお、デルタウィンドウガラス１３とは、自動車の側部においてフロントサイドガラス１２のさらに前方にある窓であり、一般的には開閉されないガラス窓である。
【００３６】
本実施形態では、第１〜第３の実施形態のフロントガラス１０及びフロントサイドガラス１２と同様に、デルタウィンドウガラス１３の周囲にも光源又はライトガイドが設けられる。デルタウィンドウガラス１３は、その外周面側から励起光が入射されることで発光するものである。なお、デルタウィンドウガラス１３は一般的に小窓であり、端部のみを発光させても、運転手に十分に注意喚起できないため、端部のみならず、デルタウィンドウガラス１３の端部に加えて端部以外の部分も発光させてもよく、その全体を発光させてもよい。
【００３７】
本実施形態では、フロントガラス１０及びフロントサイドガラス１２に加えて、デルタウィンドウガラス１３も発光可能とすることで、警告表示の発光パターンをよりバリエーションに富んだものとすることができる。
例えば、距離が相対的に遠いときにはフロントサイドガラス１２の端部１２Ｅを発光させるともに、距離が中位であるときにはデルタウィンドウガラス１３、又はフロントサイドガラス１２の端部１２Ｅ及びデルタウィンドウガラス１３を発光させるとよい。そして、距離が相対的に近いときにはフロントガラス１０の端部１０Ｅ、又はフロントガラス１０の端部１０Ｅ及びフロントサイドガラスの端部１２Ｅ若しくはデルタウィンドウガラス１３の少なくとも一方を発光させればよい。
【００３８】
また、別の態様として、例えば、接近物が後方に存在する場合には、フロントサイドガラス１２の端部１２Ｅを発光させる一方で、接近物が側方に存在する場合にはデルタウィンドウ１３を発光させ、接近物が前方に存在する場合には、フロントガラス１０の端部１０Ｅを発光させればよい。この場合も、接近物が右側に存在する場合には、フロントガラス１０の右下の端部１０Ｅ、右側のフロントサイドガラス１２の端部１２Ｅ、及び右側のデルタウィンドウ１３を発光させればよい。接近物が左側に存在する場合も同様である。
【００３９】
さらには、上記各実施形態と同様に、接近物が自動車に近づいたと検知されると、その検知される距離、方向等の内容に応じて、発光のさせ方を変更させることができる。例えば、接近物の距離に応じてフロントガラス１０、デルタウィンドウガラス１３、及びフロントサイドガラス１２の発光の強度、発光面積、及び発光位置の少なくとも一つを変更させてもよい。
【００４０】
次に本発明の第５の実施形態について、図８を用いて説明する。以上説明した第１〜第４の実施形態では、フロントガラスなどの乗り物用窓ガラスは、外周面側から励起光が入射されて発光する態様を示したが、本実施形態では、フロントガラスなどの乗り物用窓ガラスが、車内側の表面から入射される励起光によって発光させられる。以下、第５の実施形態について、上記各実施形態との相違点について説明する。
【００４１】
本実施形態では、励起光を出射する光源１１に加えて、ＭＥＭＳ（Micro Electro Mechanical Systems）ミラー３３を備える光源ユニット３１を使用する。光源ユニット３１は、自動車内部において、各乗り物用窓ガラスに励起光を照射できる位置であれば特に限定されない。例えば、フロントガラス１０を発光する場合には、ダッシュボードの上、又はルーフの前方側に設けられればよい。また、フロントサイドガラス１２やデルタウィンドウガラスを発光させる場合には、例えば、フロントサイドドアのドアボディの内面などに設ければよい。
【００４２】
ＭＥＭＳミラー３３は、例えば２軸中心に揺動可能なものであり、光源１１からの光を走査させながら乗り物用ガラスの車内側の表面（図８では、フロントガラス１０の表面１０Ｙ）に照射する。ここで、光源１１からの励起光は、駆動が制御されたＭＥＭＳミラー３３を介して乗り物窓ガラスに照射されることで、走査光として乗り物窓ガラスに照射される。本実施形態では、ＭＥＭＳミラー３３を適宜制御することにより、乗り物用ガラスの所望の部分を発光させることができる。したがって、本実施形態でも、上記各実施形態と同様に、フロントガラス１０、フロントサイドガラス１２の端部１０Ｅ、１２Ｅを発光させることが可能になる。また、ＭＥＭＳミラーは一般的に小型であるため、ＭＥＭＳミラーを使用することで自動車内部の室内空間を殆ど狭くすることなく、窓ガラスの端部を発光させることが可能になる。
【００４３】
なお、本実施形態における光源ユニットとしては、乗り物用窓ガラスの表面から励起光を照射できる限り、ＭＥＭＳミラー３３を有する光源ユニット以外のものを使用してもよい。そのような光源ユニットとしては、ＭＥＭＳミラー３３を有する光源ユニット以外の走査光を照射するものでもよい。走査光を照射する光源ユニットは、一般的に小型であるので、ＭＥＭＳミラーを有する光源ユニットと同様に、自動車内部の大きなスペースを占有することなく窓ガラスを発光表示できる。
また、光源ユニットとしては、励起光を乗り物用窓ガラスにビーム光として照射することが可能な光源ユニットであってもよい。ビーム光は、窓ガラスの発光される部分の全てを同じタイミングで照射するものであり、走査光を使用する場合のように走査ずれなどが生じることがない。
なお、ＭＥＭＳミラーを有する光源ユニット以外のものとしては、ＤＬＰ（Digital Light Processing）を用いたＤＭＤ（Digital Micromirror Device）方式やＬＣＯＳ（Liquid crystal on silicon）などを利用した光源ユニットが挙げられる。
【００４４】
以上の説明では、フロントガラス１０の端部１０Ｅ、又はフロントガラス１０及びサイドガラス１２の両方の端部１０Ｅ、１２Ｅが発光する実施形態が示されたが、自動車の窓ガラスのうち、１枚以上が発光されれば上記構成に限定されない。例えば、リアガラスの端部が発光する構成であってもよいし、サイドガラスのいずれか１枚の端部が発光する構成であってもよい。また、上記では、サイドガラスは、フロントサイドガラス１２の端部１２Ｅが発光する構成であったが、もちろん、リアサイドガラスの端部が発光する構成としてもよい。
【００４５】
また、上記各実施形態では、フロントガラス１０を発光させる場合、フロントガラスの左下、右下の端部１０Ｅが発光する構成が示されたが、フロントガラス１０のいずれかの端部を発光させればよく、例えば、下端部を発光させてよいし、両側端部を発光させてもよい。また、上端部や、左上、右上の端部を発光させてもよいし、これらの２つ以上の位置を発光できるようにしてもよい。
さらに、上記第１〜第４の実施形態において、乗り物用窓ガラスは、外周面側から励起光が入射されて発光する態様を示すとともに、第５の実施形態では、車内側の表面から励起光が入射されて発光する態様を示したが、これらは組み合わせて使用してもよい。例えば、フロントガラスは、車内側の表面から励起光が入射されて発光する一方、サイドガラスは、ガラスの外周面側から励起光が入射されて発光してもよい。
【００４６】
また、上各実施形態では、乗り物用ガラスは、自動車用の窓ガラスに使用されたが、他の乗り物の窓ガラスに使用されてもよい。そのような乗り物としては、電車、汽車、列車等の鉄道車輌、フォークリフト、ショベルカーなどの土木用重機、カート、遊園地車輌などの各種車輌が挙げられる。また、車輌以外でも、船舶、飛行機などでもよい。ただし、いずれの乗り物においても、運転中の運転手の視界に入る窓ガラスを本発明の乗り物用ガラスとすることが好ましい。
【００４７】
［乗り物用窓ガラスの構造］
次に、本発明に使用される乗り物用窓ガラスの構造についてより詳細に説明する。本発明で使用する乗り物用窓ガラスは、１層単体からなってもよいし、２以上の層を有する多層構造であってもよい。また、乗り物用窓ガラスは、少なくとも１層が透明板であることが好ましい。透明板は、無機ガラス、及び有機ガラスのいずれかからなるものである。有機ガラスは、いわゆる樹脂ガラスともいわれるものである。多層構造の乗り物用窓ガラスにおいては、透明板は１枚でもよいし、２枚以上であってもよい。また、乗り物用窓ガラスは、透明板が、蛍光材料を含有し、励起光が入射されることで発光する発光層となってよいが、透明板以外の層が蛍光材料を含有して発光層となってもよい。
また、乗り物用窓ガラスにおいては、少なくとも１枚の透明板と樹脂膜が積層されてなる多層構造を有することが好ましく、この多層構造においては、樹脂膜が、樹脂と、蛍光材料とを含有し、発光層となることがより好ましい。
また、発光層は、上記した樹脂膜や、透明板に限定されず、蛍光材料を真空蒸着、スパッタリングなどすることで形成される蛍光材料皮膜であってもよい。蛍光材料皮膜は、例えば、透明板の少なくとも一方の表面上に形成されるとよい。
【００４８】
（蛍光材料）
蛍光材料は、励起光の入射によって可視光を放射するものであり、より具体的には上記光源から出射される励起光を吸収して、励起光より長波長である可視光を発光するものである。また、蛍光材料は、励起光が照射されることでいわゆるリン光を発する材料であってもよい。
上記蛍光材料としては、具体的には例えば、高い発光性を発揮できることから、ハロゲン原子を含む配位子を有するランタノイド錯体が挙げられる。ランタノイド錯体のなかでも、ハロゲン原子を含む配位子を有するランタノイド錯体は光線を照射することにより高い発光強度で発光する。上記ハロゲン原子を含む配位子を有するランタノイド錯体としては、ハロゲン原子を含む単座配位子を有するランタノイド錯体や、ハロゲン原子を含む二座配位子を有するランタノイド錯体、ハロゲン原子を含む三座配位子を有するランタノイド錯体、ハロゲン原子を含む四座配位子を有するランタノイド錯体、ハロゲン原子を含む五座配位子を有するランタノイド錯体、ハロゲン原子を含む六座配位子を有するランタノイド錯体等のハロゲン原子を含む多座配位子を有するランタノイド錯体が挙げられる。
【００４９】
なかでも、ハロゲン原子を含む二座配位子を有するランタノイド錯体又はハロゲン原子を含む三座配位子を有するランタノイド錯体は、３００〜４１０ｎｍの波長の光を照射することにより、可視光線を高い発光強度で発光することが可能である。
しかも、上記ハロゲン原子を含む二座配位子を有するランタノイド錯体又はハロゲン原子を含む三座配位子を有するランタノイド錯体は、耐熱性にも優れる。乗り物用窓ガラスは太陽光の赤外線が照射されることにより、高温環境下で使用されることが多いため、上記ハロゲン原子を含む二座配位子を有するランタノイド錯体又はハロゲン原子を含む三座配位子を有するランタノイド錯体を用いることにより、蛍光材料の劣化が防止できる。
【００５０】
本明細書においてランタノイドとは、ランタン、セリウム、プラセオジム、ネオジム、プロメチウム、サマリウム、ユーロピウム、ガドリニウム、テルビウム、ジスプロシウム、ホルミウム、エルビウム、ツリウム、イッテルビウム又はルテチウムを含む。より一層高い発光強度が得られることから、ランタノイドは、ネオジム、ユーロピウム又はテルビウムが好ましく、ユーロピウム又はテルビウムがより好ましく、ユーロピウムが更に好ましい。
【００５１】
上記ハロゲン原子を含む二座配位子としては、例えば、下記一般式（１）で表される構造を有する配位子、下記一般式（２）で表される構造を有する配位子などが挙げられる。
【００５２】
【化１】
2019073983.tif 000003
【００５３】
上記一般式（１）において、Ｒ１及びＲ３は有機基を表し、Ｒ１及びＲ３の少なくとも一方はハロゲン原子を含む有機基であり、Ｒ２は、炭素数１以上の直鎖状の有機基を表す。上記Ｒ１及びＲ３は炭化水素基であることが好ましく、炭素数が１〜１０の炭化水素基であることがより好ましく、炭素数が１〜５の炭化水素基であることが更に好ましく、炭素数が１〜３の炭化水素基であることが特に好ましい。上記炭化水素基は水素原子の一部が、水素原子以外の原子及び官能基と置換されていても良い。上記炭素数が１〜３の炭化水素基としては、水素原子が置換されていないメチル基、エチル基、プロピル基や、水素原子の一部がハロゲン原子で置換されたメチル基、エチル基、プロピル基などが挙げられる。上記水素原子の一部がハロゲン原子で置換されたメチル基、エチル基、プロピル基のハロゲン原子としては、フッ素原子、塩素原子、臭素原子、ヨウ素原子を用いることができる。上記炭素数が１〜３の炭化水素基としては、高い発光強度で発光することから、水素原子の一部がハロゲン原子で置換されたメチル基、エチル基、プロピル基であることが好ましく、トリフルオロメチル基であることがより好ましい。
上記Ｒ２は、炭素数１以上のアルキレン基であることが好ましく、炭素数１〜５のアルキレン基であることがより好ましく、炭素数１のメチレン基であることが最も好ましい。上記炭素数１以上のアルキレン基は水素原子の一部が、水素原子以外の原子及び官能基と置換されていても良い。
【００５４】
上記ハロゲン原子を含む配位子を有するランタノイド錯体は、ハロゲン原子を含む配位子を少なくとも１つ有すればよく、ハロゲン原子を含まない配位子を有していても良い。上記ハロゲン原子を含まない配位子としては、ハロゲン原子を含まないこと以外は上記一般式（１）と同一である配位子、下記一般式（２）〜（８）で表される構造を有する配位子などが挙げられる。下記一般式（２）〜（８）で表される構造を有する配位子は、一部または全ての水素原子が、−ＣＯＯＲ、−ＳＯ３、−ＮＯ２、−ＯＨ、アルキル基、−ＮＨ２などに置換されていてもよい。
【００５５】
【化２】
2019073983.tif 000004
なお、上記式（２）において、２つのＮはビピリジン骨格のどこにあってもよい。例えば、ビピリジン骨格の２，２’位、３，３’位、４，４’位、２，３’位、２，４’位、３，４’位に２つのＮがあることが挙げられる。なかでも、２，２’位に２つのＮがあることが好ましい。
【００５６】
【化３】
2019073983.tif 000005
なお、上記式（３）において、２つのＮはビピリジン骨格のどこにあってもよい。なかでも、１，１０位に２つのＮがあることが好ましい。
【００５７】
【化４】
2019073983.tif 000006
なお、上記式（４）において、２つのＮはビピリジン骨格のどこにあってもよい。なかでも、１，１０位に２つのＮがあることが好ましい。
【００５８】
【化５】
2019073983.tif 000007
なお、上記式（５）において、３つのＮはターピリジン骨格のどこにあってもよい。
【００５９】
【化６】
2019073983.tif 000008
上記式（６）において、中央のＲ４は、炭素数１以上の直鎖状の有機基を表す。
【００６０】
【化７】
2019073983.tif 000009
上記式（７）において、２つのＲ５は、炭素数１以上の直鎖状の有機基を表す。
【００６１】
【化８】
2019073983.tif 000010
上記式（８）において、ｎは、１又は２の整数を表す。
【００６２】
上記ハロゲン原子を含む二座配位子を有するランタノイド錯体は、例えば、トリス（トリフルオロアセチルアセトン）フェナントロリンユーロピウム（Ｅｕ（ＴＦＡ）３ｐｈｅｎ）、トリス（トリフルオロアセチルアセトン）ジフェニルフェナントロリンユーロピウム（Ｅｕ（ＴＦＡ）３ｄｐｐｈｅｎ）、トリス（ヘキサフルオロアセチルアセトン）ジフェニルフェナントロリンユーロピウム、トリス（ヘキサフルオロアセチルアセトン）ビス（トリフェニルホスフィン）ユーロピウム、トリス（トリフルオロアセチルアセトン）２，２’−ビピリジンユーロピウム、トリス（ヘキサフルオロアセチルアセトン）２，２’−ビピリジンユーロピウム、トリス（５，５，６，６，７，７，７−ヘプタフルオロ−２，４−ペンタンジオネート）２，２’−ビピリジンユーロピウム（［Ｅｕ（ＦＰＤ）３］ｂｐｙ）、トリス（トリフルオロアセチルアセトン）３，４，７，８−テトラメチル−１，１０フェナントロリンユーロピウム（［Ｅｕ（ＴＦＡ）３］ｔｍｐｈｅｎ）、トリス（５，５，６，６，７，７，７−ヘプタフルオロ−２，４−ペンタンジオネート）フェナントロリンユーロピウム（［Ｅｕ（ＦＰＤ）３］ｐｈｅｎ）、ターピリジントリフルオロアセチルアセトンユーロピウム、ターピリジンヘキサフルオロアセチルアセトンユーロピウム等が挙げられる。
【００６３】
上記ハロゲン原子を含む二座配位子を有するランタノイド錯体は、他にも例えば、トリス（トリフルオロアセチルアセトン）フェナントロリンテルビウム（Ｔｂ（ＴＦＡ）３ｐｈｅｎ）、トリス（トリフルオロアセチルアセトン）ジフェニルフェナントロリンテルビウム（Ｔｂ（ＴＦＡ）３ｄｐｐｈｅｎ）、トリス（ヘキサフルオロアセチルアセトン）ジフェニルフェナントロリンテルビウム、トリス（ヘキサフルオロアセチルアセトン）ビス（トリフェニルホスフィン）テルビウム、トリス（トリフルオロアセチルアセトン）２，２’−ビピリジンテルビウム、トリス（ヘキサフルオロアセチルアセトン）２，２’−ビピリジンテルビウム、トリス（５，５，６，６，７，７，７−ヘプタフルオロ−２，４−ペンタンジオネート）２，２’−ビピリジンテルビウム（［Ｔｂ（ＦＰＤ）３］ｂｐｙ）、トリス（トリフルオロアセチルアセトン）３，４，７，８−テトラメチル−１，１０フェナントロリンテルビウム（［Ｔｂ（ＴＦＡ）３］ｔｍｐｈｅｎ）、トリス（５，５，６，６，７，７，７−ヘプタフルオロ−２，４−ペンタンジオネート）フェナントロリンテルビウム（［Ｔｂ（ＦＰＤ）３］ｐｈｅｎ）、ターピリジントリフルオロアセチルアセトンテルビウム、ターピリジンヘキサフルオロアセチルアセトンテルビウム等が挙げられる。
【００６４】
上記ハロゲン原子を含む配位子を有するランタノイド錯体のハロゲン原子としては、フッ素原子、塩素原子、臭素原子、ヨウ素原子を用いることができる。なかでも、配位子の構造を安定化させることから、フッ素原子が好適である。
【００６５】
上記ハロゲン原子を含む二座配位子を有するランタノイド錯体又はハロゲン原子を含む三座配位子を有するランタノイド錯体のなかでも、特に初期発光性に優れることから、ハロゲン原子を含むアセチルアセトン骨格を有する二座配位子を有するランタノイド錯体が好適である。
上記ハロゲン原子を含むアセチルアセトン骨格を有する二座配位子を有するランタノイド錯体は、例えば、Ｅｕ（ＴＦＡ）３ｐｈｅｎ、Ｅｕ（ＴＦＡ）３ｄｐｐｈｅｎ、Ｅｕ（ＨＦＡ）３ｐｈｅｎ、［Ｅｕ（ＦＰＤ）３］ｂｐｙ、［Ｅｕ（ＴＦＡ）３］ｔｍｐｈｅｎ、［Ｅｕ（ＦＰＤ）３］ｐｈｅｎ等が挙げられる。これらのハロゲン原子を含むアセチルアセトン骨格を有する二座配位子を有するランタノイド錯体の構造を示す。
【００６６】
【化９】
2019073983.tif 000011
【００６７】
上記ハロゲン原子を含むアセチルアセトン骨格を有する二座配位子を有するランタノイド錯体は、他にも例えば、Ｔｂ（ＴＦＡ）３ｐｈｅｎ、Ｔｂ（ＴＦＡ）３ｄｐｐｈｅｎ、Ｔｂ（ＨＦＡ）３ｐｈｅｎ、［Ｔｂ（ＦＰＤ）３］ｂｐｙ、［Ｔｂ（ＴＦＡ）３］ｔｍｐｈｅｎ、［Ｔｂ（ＦＰＤ）３］ｐｈｅｎ等が挙げられる。
【００６８】
上記ハロゲン原子を含む配位子を有するランタノイド錯体は、粒子状であることが好ましい。粒子状であることにより、上記ハロゲン原子を含む配位子を有するランタノイド錯体を発光層中に微分散させることがより容易となる。
上記ハロゲン原子を含む配位子を有するランタノイド錯体が粒子状である場合、ランタノイド錯体の平均粒子径の好ましい下限は０．０１μｍ、好ましい上限は１０μｍであり、より好ましい下限は０．０３μｍ、より好ましい上限は１μｍである。
【００６９】
上記蛍光材料としては、テレフタル酸エステル構造を有する蛍光材料も用いることができる。上記テレフタル酸エステル構造を有する蛍光材料は、光線が照射されることにより発光する。
上記テレフタル酸エステル構造を有する蛍光材料は、例えば、下記一般式（９）で表される構造を有する化合物や下記一般式（１０）で表される構造を有する化合物が挙げられる。これらは単独で用いてもよく、２種以上を用いてもよい。
【００７０】
【化１０】
2019073983.tif 000012
【００７１】
上記一般式（９）中、Ｒ６は有機基を表し、ｘは１、２、３又は４である。
乗り物用窓ガラスの可視光線透過率がより一層高くなることから、ｘは１又は２であることが好ましく、ベンゼン環の２位又は５位に水酸基を有することがより好ましく、ベンゼン環の２位及び５位に水酸基を有することが更に好ましい。
上記Ｒ６の有機基は炭化水素基であることが好ましく、炭素数が１〜１０の炭化水素基であることがより好ましく、炭素数が１〜５の炭化水素基であることが更に好ましく、炭素数が１〜３の炭化水素基であることが特に好ましい。上記炭化水素基の炭素数が１０以下であると、上記テレフタル酸エステル構造を有する蛍光材料を発光層に容易に分散させることができる。上記炭化水素基はアルキル基であることが好ましい。
【００７２】
上記一般式（９）で表される構造を有する化合物として、例えば、ジエチル−２，５−ジヒドロキシテレフタレート、ジメチル−２，５−ジヒドロキシテレフタレート等が挙げられる。なかでも、上記一般式（９）で表される構造を有する化合物はジエチル−２，５−ジヒドロキシルテレフタレート（Ａｌｄｒｉｃｈ社製「２，５−ジヒドロキシテレフタル酸ジエチル」）であることが好ましい。
【００７３】
上記一般式（１０）中、Ｒ７は有機基を表し、Ｒ８及びＲ９は水素原子又は有機基を表し、ｙは１、２、３又は４である。
上記Ｒ７の有機基は炭化水素基であることが好ましく、炭素数が１〜１０の炭化水素基であることがより好ましく、炭素数が１〜５の炭化水素基であることが更に好ましく、炭素数が１〜３の炭化水素基であることが特に好ましい。上記炭化水素基の炭素数が上記上限以下であると、上記テレフタル酸エステル構造を有する蛍光材料を発光層中に容易に分散させることができる。上記炭化水素基はアルキル基であることが好ましい。
上記一般式（１０）中、ＮＲ８Ｒ９はアミノ基である。Ｒ８及びＲ９は、水素原子であることが好ましい。上記一般式（１０）で表される構造を有する化合物のベンゼン環の水素原子のうち、一つの水素原子が上記アミノ基であってもよく、二つの水素原子が上記アミノ基であってもよく、三つの水素原子が上記アミノ基であってもよく、四つの水素原子が上記アミノ基であってもよい。
上記一般式（１０）で表される構造を有する化合物として、ジエチル−２，５−ジアミノテレフタレート（例えば、Ａｌｄｒｉｃｈ社製）が好ましい。
【００７４】
（樹脂膜）
乗り物用窓ガラスにおいては、上記したように、発光層となる樹脂膜が設けられることが好ましい。また、乗り物用窓ガラスは、２枚の透明板の間に、中間膜が設けられ、その中間膜を介して２枚の透明板が接着された合わせガラス構造を有することが好ましい。
合わせガラス構造において、中間膜は、１層の樹脂膜からなり、その樹脂膜が発光層となることが好ましい。また、中間膜には、２層以上の樹脂膜が設けられ、複数の樹脂膜のうち、少なくとも１層の樹脂膜が発光層となってもよい。
【００７５】
また、発光層となる樹脂膜は、必ずしも中間膜を構成する必要はなく、例えば、合わせガラス構造において、いずれか一方の透明板の中間膜側の面とは反対側の面に設けられてもよい。また、乗り物用窓ガラスに設けられる透明板が１枚である場合には、その単層の透明板のいずれか一方の面に設けられたものであってもよい。
合わせガラス構造の上記反対側の面や、単層の透明板のいずれか一方の面に、発光層となる樹脂膜が設けられる場合、発光層（樹脂膜）を有するシート状部材が、接着剤、粘着剤などを介して単層ガラスや合わせガラス構造の表面に接着されてもよい。これにより、既存の窓ガラスにいわゆる後貼りによりシート状部材を貼り合せることで、乗り物用窓ガラスに発光層を設けることができる。
【００７６】
発光層となる樹脂膜は、樹脂と蛍光材料を含有するものであり、通常、樹脂中に蛍光材料が分散されたものである。蛍光材料は、発光層全体にわたって分散しているとよい。樹脂膜で使用する樹脂としては、熱可塑性樹脂が好ましい。熱可塑性樹脂を使用することで、樹脂膜は、接着層としての機能を果たしやすくなり、上記したように、中間膜を構成する場合において透明板などに接着しやすくなる。
樹脂膜に蛍光材料を含有させる場合、蛍光材料の含有量は、樹脂１００質量部に対して、０．００１質量部以上が好ましく、０．０５質量部以上がより好ましく、０．１質量部以上がさらに好ましい。蛍光材料の含有量をこれら下限値以上とすることで、乗り物用窓ガラスが十分に発光することが可能になる。また、上記蛍光材料の含有量は、１０質量部以下が好ましく、３質量部以下がより好ましく、１．５質量部以下がさらに好ましい。これら上限値以下とすることで、乗り物用窓ガラスの透明性を確保しやすくなる。
【００７７】
樹脂膜の厚さは、特に限定されないが、例えば、０．１〜２ｍｍ、好ましくは０．２〜１ｍｍである。樹脂膜の厚さをこの範囲とすると、乗り物用窓ガラスの透明性を損なうことなく、十分な発光輝度を確保することが可能になる。
また、中間膜の厚さは、特に限定されないが、例えば、０．１〜３ｍｍ、好ましくは０．２〜２ｍｍである。
【００７８】
上記したように、樹脂膜に使用される樹脂としては、熱可塑性樹脂が好ましい。また、樹脂膜に使用する熱可塑性樹脂としては、特に限定されないが、例えば、ポリビニルアセタール樹脂、エチレン−酢酸ビニル共重合体樹脂、アイオノマー樹脂、ポリウレタン樹脂、及び熱可塑性エラストマーなどが挙げられる。これら樹脂を使用することで、樹脂膜の透明板に対する接着性を確保しやすくなり、樹脂膜によって中間膜を構成する場合に特に好適である。
樹脂膜において熱可塑性樹脂は、１種単独で使用してもよいし、２種以上を併用してもよい。また、これらの中では、樹脂膜に可塑剤を含有させた場合に、無機ガラスに対して優れた接着性を発揮する点から、ポリビニルアセタール樹脂が特に好適である。
【００７９】
樹脂膜が熱可塑性樹脂を含有する場合、樹脂膜にはさらに可塑剤を含有させてもよい。樹脂膜に可塑剤を含有させることにより、樹脂膜が柔軟となり、その結果、乗り物用窓ガラスが柔軟になる。さらには、透明板、特に透明板が無機ガラスである場合に、透明板との接着性を高くすることも可能になる。可塑剤は、熱可塑性樹脂としてポリビニルアセタール樹脂を使用する場合に、その層に含有させると特に効果的である。
可塑剤としては、例えば、一塩基性有機酸エステル及び多塩基性有機酸エステル等の有機エステル可塑剤、並びに有機リン酸可塑剤及び有機亜リン酸可塑剤などのリン酸可塑剤等が挙げられる。なかでも、有機エステル可塑剤が好ましく、特にトリエチレングリコール−ジ−２−エチルヘキサノエート（３ＧＯ）が好適である。
可塑剤の含有量は、特に限定されないが、熱可塑性樹脂１００質量部に対して、好ましい下限は３０質量部であり、好ましい上限は７０質量部である。可塑剤の含有量を３０質量部以上とすると、乗り物用窓ガラスが適度に柔軟になり、取り扱い性等が良好になる。また、可塑剤の含有量を７０質量部以下とすると、樹脂膜から可塑剤が分離することが防止される。可塑剤の含有量のより好ましい下限は３５質量部、より好ましい上限は６３質量部である。
また、本発明の樹脂膜は、熱可塑性樹脂を含有する場合、熱可塑性樹脂、又は熱可塑性樹脂及び可塑剤が主成分となるものであり、熱可塑性樹脂及び可塑剤の合計量が、樹脂膜全量基準で、通常７０質量％以上、好ましくは８０質量％以上、さらに好ましくは９０質量％以上である。
【００８０】
また、樹脂膜は、必要に応じて、酸化防止剤、接着力調整剤、紫外線吸収剤、赤外線吸収剤、帯電防止剤等の添加剤を含有してもよい。
【００８１】
（透明板）
透明板としては、乗り物用窓ガラスに使用できるものであれば特に限定なく使用でき、無機ガラス、有機ガラスが使用できる。無機ガラスとしては、特に限定されないが、クリアガラス、フロート板ガラス、磨き板ガラス、型板ガラス、網入り板ガラス、線入り板ガラス、グリーンガラス等が挙げられる。
また、有機ガラスとしては、一般的に樹脂ガラスと呼ばれるものが使用され、特に限定されないが、ポリカーボネート、アクリル樹脂、アクリル共重合体樹脂、ポリエステルなどの樹脂から構成される透明有機ガラスが挙げられる。
【００８２】
乗り物用窓ガラスが、２以上の透明板を有する場合、複数の透明板は、互いに同種の材質から構成されてもよいし、別の材質から構成されてもよい。例えば、透明板を２つ有する場合、一方が無機ガラスで、他方が有機ガラスであってもよい。ただし、透明板を複数有する場合、複数の透明板は全て無機ガラスであるか、又はすべて有機ガラスであることが好ましい。
また、各透明板の厚さは、特に限定されないが、例えば、０．１〜１５ｍｍ程度、好ましくは０．５〜５ｍｍである。乗り物用窓ガラスが複数の透明板を有する場合、各透明板の厚さは、互いに同一であってもよいし、異なっていてもよい。
【００８３】
上記したように、乗り物用窓ガラスにおいては透明板が可視光を発光する発光層となってもよい。透明板が発光層となる場合、透明板自体が蛍光材料を含有することになる。このとき、蛍光材料は、透明板の無機ガラスを構成する無機材料、又は、有機ガラスを構成する有機材料（樹脂）中に分散されればよい。ここで、蛍光材料は、透明板の全体にわたって分散しているとよい。透明板自体に蛍光材料が含有される場合、蛍光材料の含有量は、無機ガラスを構成する無機材料１００質量部、又は有機ガラスを構成する樹脂１００質量部に対して、０．００１質量部以上が好ましく、０．０５質量部以上がより好ましく、０．１質量部以上がさらに好ましい。蛍光材料の含有量をこれら下限値以上とすることで、乗り物用窓ガラスが十分に発光することが可能になる。また、上記蛍光材料の含有量は、１０質量部以下が好ましく、３質量部以下がより好ましく、１．５質量部以下がさらに好ましい。無機材料の含有量がこれら上限値以下とすることで、蛍光材料によって乗り物用窓ガラスの透明性が損なわれたりすることが防止される。
透明板が、蛍光材料を含有し発光層となる場合、乗り物用窓ガラスは、上記したような合わせガラス構造を有していてもよいし、透明板が単層からなるものであってもよい。合わせガラス構造を有する場合には、少なくとも１枚の透明板が発光層となるとよい。
【００８４】
乗り物用窓ガラスは、可視光線を透過するものであってもよいし、可視光線を透過しないものであってもよいが、可視光線を透過するものが好ましい。可視光線を透過するとは、例えば、可視光線透過率が３０％以上、好ましくは５０％以上となるものである。
乗り物用窓ガラスが、例えば自動車のフロントガラスやフロントサイドガラスに使用される場合には、可視光線透過率は、乗り物用窓ガラスの透明性を高める観点、及び自動車の安全性を確保する観点から、７０％以上が好ましく、７５％以上がより好ましく、８０％以上がさらに好ましい。また、可視光線透過率は、その上限は特に限定されず、高ければ高いほどよいが、実用的には９９％以下が好ましく、９５％以下がより好ましい。なお、可視光線透過率とは、４００〜７８０ｎｍにおける可視光線透過率の平均値を意味し、例えばＪＩＳＲ３２１２に準拠した、紫外可視赤外分光光度計（日立ハイテク社製、  ＵＨ４１５０）により測定可能である。
【００８５】
また、乗り物用窓ガラスは、上記したように、光源からの励起光が入射されることで、可視光を発光するものである。可視光は、一般的に４００〜７８０ｎｍの波長を有する光である。また、乗り物用窓ガラスは、青色、緑色、赤色などの光を放射してもよいし、２以上の色の光が混合されて、白色光などを放射してもよい。なお、２以上の色の光が混色される場合には、例えば、発光層が２以上設けられ、各層が別々の光を照射して、混色されてもよいが、１つの発光層に２種類以上の蛍光材料が含有されてもよい。
乗り物用窓ガラスは、自車の運転手に注意を喚起するために、赤色光を放射することが好ましい。具体的には、乗り物用窓ガラスは、好ましくは最大発光波長が５９０〜７８０ｎｍ、より好ましくは最大発光波長が６００〜７５０ｎｍ、さらに好ましくは６２０〜７００ｎｍの光を放射するとよい。なお、赤色光を放射するためには、蛍光材料として、例えば、ハロゲン原子を含む配位子を有するランタノイド錯体を使用し、かつランタノイドとしてユーロピウムを使用すればよい。
【００８６】
また、乗り物用窓ガラスは、可視光線又は励起光を反射する反射膜が設けられてもよい。反射膜は、好ましくは発光層よりも車外側（すなわち、車輌外側）に設けられることが好ましい。反射膜は、可視光線を反射するものでもよいし、励起光を反射するものでもよい。反射膜としては、金属膜、可視光反射フィルムなど公知のものを使用すればよい。反射膜が設けられることで、発光層により発光した可視光線などが反射膜で反射されるので、乗り物用窓ガラスの発光強度をより高くすることが可能になる。
なお、反射膜は、運転手の視界を妨げない観点から、乗り物用窓ガラスが、サイドガラス又はリアガラスであるときに設けられることが好ましい。
【符号の説明】
【００８７】
１０  フロントガラス（乗り物用窓ガラス）
１０Ａ、１０Ｂ  透明板
１０Ｃ  中間膜
１０Ｅ  端部
１０Ｘ  外周面
１１  光源
１１Ａ  出射端
１２  フロントサイドガラス（乗り物用窓ガラス）
１２Ｅ  端部
１３  デルタウィンドウガラス（乗り物用窓ガラス）
１５  制御手段
１６  検知手段
２１、２２  ピラー
２３  ルーフ
２４  ライトガイド
２４Ａ  端部
２４Ｘ  側面
【図１】
2019073983.tif 000013
【図２】
2019073983.tif 000014
【図３】
2019073983.tif 000015
【図４】
2019073983.tif 000016
【図５】
2019073983.tif 000017
【図６】
2019073983.tif 000018
【図７】
2019073983.tif 000019
【図８】
2019073983.tif 000020
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
蛍光材料を含有し、光源から照射された励起光が入射されることによって可視光を放射する乗り物用窓ガラスであって、前記励起光の照射により前記乗り物用窓ガラスの端部を発光させる乗り物用窓ガラス。
【請求項２】
前記乗り物用窓ガラスが、透明板を含む請求項１に記載の乗り物用窓ガラス。
【請求項３】
前記乗り物用窓ガラスが、少なくとも１枚の透明板と樹脂膜が積層されてなる多層構造を有し、
前記樹脂膜が、樹脂と、励起光の入射によって可視光を放射する蛍光材料とを含む請求項２に記載の乗り物用窓ガラス。
【請求項４】
前記乗り物用窓ガラスが、自動車のフロントガラス及びサイドガラスのいずれかである請求項１〜３のいずれか１項に記載の乗り物用窓ガラス。
【請求項５】
人及び物の少なくともいずれかが乗り物に近づいたと検知されると、前記端部を発光させる請求項１〜４のいずれか１項に記載の乗り物用窓ガラス。
【請求項６】
前記検知される内容に応じて、発光のさせ方を変更させる、請求項５に記載の乗り物用窓ガラス。
【請求項７】
接近物との距離に応じて、発光の強度、発光面積、及び発光位置の少なくとも１つを変更させる、請求項６に記載の乗り物用窓ガラス。
【請求項８】
蛍光材料を含有し、光源から照射された励起光を入射することによって可視光を放射する乗り物用窓ガラスを利用した警告表示方法であって、前記励起光の照射により前記乗り物用窓ガラスの端部を発光させ、乗員に注意喚起する警告表示方法。
【請求項９】
前記乗り物用窓ガラスが、透明板を含む請求項８に記載の警告表示方法。
【請求項１０】
前記乗り物用窓ガラスが、少なくとも１枚の透明板と樹脂膜が積層されてなる多層構造を有し、
前記樹脂膜が、樹脂と、励起光の入射によって可視光を放射する蛍光材料とを含む請求項８又は９に記載の警告表示方法。
【請求項１１】
前記乗り物用窓ガラスが、自動車のフロントガラス及びサイドガラスのいずれかである請求項８〜１０のいずれか１項に記載の警告表示方法。
【請求項１２】
人及び物の少なくともいずれかが乗り物に近づいたと検知されると、前記端部を発光させる請求項８〜１１のいずれか１項に記載の警告表示方法。
【請求項１３】
前記検知される内容に応じて、発光のさせ方を変更させる、請求項１２に記載の警告表示方法。
【請求項１４】
接近物との距離に応じて、発光の強度、発光面積、及び発光位置の少なくとも１つを変更させる、請求項１３に記載の警告表示方法。
【請求項１５】
前記光源が照射する光の最大発光波長が、４２０ｎｍ以下である請求項１〜７のいずれか１項に記載の乗り物用窓ガラス。
【請求項１６】
前記光源が照射する光の最大発光波長が、４２０ｎｍ以下である請求項８〜１４のいずれか１項に記載の警告表示方法。
【国際調査報告】
2019073983.tif 000021
2019073983.tif 000022
2019073983.tif 000023
2019073983.tif 000024